(57)【要約】【課題】既存の埋込穴に器具本体を容易かつ確実に固定することができると共に、埋込穴と器具本体との間に形成される隙間を簡単な手段で塞ぐことが可能な取付部材および埋込器具を提供する。【解決手段】鍔部１１ｂを形成した枠体１１と；枠体の鍔部に形成され、折曲げられたバネ部材２４に内側から当接することによりバネ部材を外方に向けて押し広げる当接部１３と；を具備する取付部材を構成し、この取付部材を用いた埋込器具を構成する。【選択図】        図１
2010010099.tif 000002
【特許請求の範囲】
【請求項１】
鍔部を形成した枠体と；
枠体の鍔部に形成され、折曲げられたバネ部材に内側から当接することによりバネ部材を外方に向けて押し広げる当接部と；
を具備することを特徴とする取付部材。
【請求項２】
鍔部を形成した枠体と；
枠体の鍔部に形成され、折曲げられたバネ部材のバネ辺を外方に向けて傾斜させる方向に貫通させるガイド孔と；
ガイド孔の内方に連続して形成され、折曲げられたバネ部材のバネ辺に内側から当接することによりバネ部材を外方に向けて押し広げる当接部と；
を具備することを特徴とする取付部材。
【請求項３】
器具本体と；
器具本体に取り付けられる一方のバネ辺、この一方のバネ辺に連続的に形成され、器具本体の一端側で折り曲げられる折曲部、この折曲部から器具本体の外方に突出するように形成された他方のバネ辺を有するバネ部材で構成され、他方のバネ辺を内方に撓ませた状態で器具本体と共に被設置部の埋込穴に挿入され、挿入後自らの弾性により元の状態に復帰して埋込穴の内面を圧接し、その圧接力で器具本体を被設置部に支持する支持具と；
埋込穴と器具本体の隙間を閉塞する鍔部を有する枠体と、枠体の鍔部に形成され、折曲げられたバネ部材の折曲部に内側から当接することによりバネ部材を外方に向けて押し広げる当接部を有する取付部材と；
を具備することを特徴とする埋込器具。
【請求項４】
器具本体と；
器具本体に取り付けられる一方のバネ辺、この一方のバネ辺に連続的に形成され、器具本体の一端側で折り曲げられる折曲部、この折曲部から器具本体の外方に突出するように形成された他方のバネ辺を有するバネ部材で構成され、他方のバネ辺を内方に撓ませた状態で器具本体と共に被設置部の埋込穴に挿入され、挿入後自らの弾性により元の状態に復帰して埋込穴の内面を圧接し、その圧接力で器具本体を被設置部に支持する支持具と；
埋込穴と器具本体の隙間を閉塞する鍔部を有する枠体、枠体の鍔部に形成され、支持具の他方のバネ辺を外方に向けて傾斜させる方向に貫通させるガイド孔と、ガイド孔の内方に連続して形成され、他方のバネ辺を内側から当接することによりバネ部材を外方に向けて押し広げる当接部を有する取付部材と；
を具備することを特徴とする埋込器具。
【発明の詳細な説明】
【技術分野】
【０００１】
本発明は、バネ部材を押し広げる取付部材およびこの取付部材を用いて天井等の埋込穴に設置される埋込器具に関する。
【背景技術】
【０００２】
この種、埋込器具、例えば、照明器具はダウンライトと称され、家屋の廊下や玄関等の天井に設置され、天井面から下方をスポット的に照明する器具として用いられている。その設置作業は、例えば、下記の特許文献１に示されるように、天井裏が狭いため天井面の下方から設置するように構成されている。すなわち、器具本体には、例えば、その両側に一対の板バネが突出して設けられ、作業者が手で板バネを押え内方に撓ませながら器具本体と共に天井の埋込穴に挿入し、挿入後、手を離すことにより板バネが自らの弾性により元の外側の位置に復帰し埋込穴の内面を圧接し、その圧接力により天井材を化粧枠との間で挟み器具本体を天井に固定している。
【０００３】
また、特許文献２には、昇降装置付埋込型照明器具に各種の埋込型照明器具を取り付けたいとの市場の要望に応えるために、すでに形成されている埋込穴と大きさの異なる各種の埋込型照明器具との間で形成される隙間を塞ぐために、孔径の異なる取付板を適用するものが示されている。
【特許文献１】特開２００４−１７９０４８号公報
【特許文献２】特開平１０−２０８５３８号公報
【発明の開示】
【発明が解決しようとする課題】
【０００４】
近時、この種、埋込型の照明器具においても、特許文献１に示されるように、光源として発光ダイオードを用い省エネと小型化を図り、既に設置された従来型の白熱電球式ダウンライトに入れ替えリニューアルすることが行われている。しかし、従来のダウンライトは器具本体が比較的大きく天井に設置するための埋込穴の孔径も大きく、通常、直径が約１２０〜１５０ｍｍの孔が形成されている。一方、発光ダイオード式のダウンライト（以下「ＬＥＤダウンライト」と称す）は、小型に構成されるため孔径は、約１００ｍｍ程度の孔に設置される。
【０００５】
このため、既存の大きな埋込穴に小型のＬＥＤダウンライトを設置すると、図１５（ａ）のように、ＬＥＤダウンライト１の外径、すなわち、化粧枠２の外径が既存の埋込孔Ｙの内径より小さいため、化粧枠２との間に隙間Ｓ１が形成され、天井材を化粧枠２との間で挟み込むことができなくなり、器具本体１ａは板バネ３が埋込穴Ｙに引っ掛かった状態となって落下し、器具本体１ａを天井Ｘに固定することができない。
【０００６】
このため、ＬＥＤダウンライトを既存の埋込穴に設置するための専用の部品が必要になる。すなわち、図１５（ｂ）（ｃ）に示すように、リニューアルのための部品として、既存の埋込穴に合致する円筒体からなる本体５と化粧枠６が用意されている。設置に際しては、図１５（ｄ）に示すように、まず、既存の埋込穴Ｙに本体５を挿入し、２個の取付金具５ａを用いて埋込孔Ｙに固定する。次に、化粧枠６に小型のＬＥＤダウンライト１を挿入し、ＬＥＤダウンライトのバネ部１ｂと化粧枠６のＶバネ6aの位置を合わせ、ＬＥＤダウンライトのバネ部を化粧枠の開口縁部に係合させて固定する。さらに、電源線をＬＥＤダウンライト１に接続する。次に、ＬＥＤダウンライトを固定した化粧枠６を本体５に挿入し、Ｖバネ６ａを本体内面の爪５ｂに係合させ、化粧枠６を天井に押し上げ埋込穴Ｙと器具本体１ａとの間に形成される隙間を塞いで設置が完了する。
【０００７】
このため、専用の部品として取付金具５ａ等を有する本体５、Ｖバネ６ａを有する化粧枠６が必要となり、部品点数の増加によってコスト的な問題を生じる。同時に、設置作業も本体５を埋込穴に固定し、さらに、その本体に化粧枠６を取り付けため２重の手間がかかり煩雑になる。
【０００８】
また、特許文献２には、すでに形成されている埋込穴と大きさの異なる各種の埋込型照明器具との間で形成される隙間を塞ぐための孔径の異なる取付板を適用するものが示されているが、器具本体が埋込穴に設置された状態で残り、この器具本体に対して各種の埋込型照明器具を入れ替えるもので、器具本体全体を入れ替えるものとは異なり、上述の問題、特に、板バネにより器具本体を埋込穴に確実に固定することができなくなる問題を解決することはできない。
【０００９】
これらの問題はダウンライト等の照明器具に限らず、天井等の埋込穴に設置される例えば、照明システムに用いられる人感センサや照度センサ等の各種センサ器具、さらには音響システムに用いられるスピーカ等、他の埋込器具であっても共通の問題が生じている。このため、これら埋込器具においては、既存の埋込穴に器具本体を容易かつ確実に固定することができ、さらに、埋込穴と器具本体との間に形成される隙間を如何に簡単な手段で塞ぐことができるかが課題となっている。
【００１０】
本発明は、上記課題に鑑みてなされたもので、既存の埋込穴に器具本体を容易かつ確実に固定することができると共に、埋込穴と器具本体との間に形成される隙間を簡単な手段で塞ぐことが可能な取付部材および埋込器具を提供しようとするものである。
【課題を解決するための手段】
【００１１】
請求項１に記載の取付部材の発明は、鍔部を形成した枠体と；枠体の鍔部に形成され、折曲げられたバネ部材に内側から当接することによりバネ部材を外方に向けて押し広げる当接部と；を具備することを特徴とする。
【００１２】
本発明によれば、折曲げられたバネ部材に内側から当接することによりバネ部材を外方に向けて押し広げる当接部により、既存の埋込穴に埋込器具を容易かつ確実に固定することができると共に、鍔部を形成した枠体により、埋込穴と埋込器具との間に形成される隙間を簡単な手段で塞ぐことが可能となる。
「バネ部材に内側から当接する」とは、取付け部材の枠体の中心側から外側に向けてバネ部材に作用が発生するように当接することをいう。また、「外方に向けて押し広げる」とは、枠体の中心側から外側に向けて押し広げることを意味する。
【００１３】
本発明において、鍔部を形成した枠体は、剛性を有する合成樹脂や木材、さらには鋼鈑やアルミダイカスト等の金属で構成されることが好ましいが、多少弾性を有する例えば、天然ゴムやシリコンゴムで構成されていてもよい。枠体は連続したリング状をなしていることが好適であるが、一部が連続せずに開放したＶ字やＵ字等の馬蹄形状をなしたものであってもよい。鍔部は連続した鍔で、隙間を完全に塞ぐようにすることが最適であるが一部に切欠部を有する不連続な鍔であってもよい。鍔部は埋込孔の周囲を覆い隠す化粧枠の機能を有していることが好ましいが、格別に化粧されたものでなくてもよく、要は、隙間を完全に若しくは略塞ぐ機能を有するもの全てが許容される。
【００１４】
折曲げられたバネ部材は、板状をなしていることが好ましいが、ワイヤー等で線状に形成されたものであってもよい。また、折り曲げられた形状は、Ｌ字形、Ｖ字形、Ｕ字形さらにはＹ字形等、折曲部から外方にバネ辺がそれぞれ突出するように折曲された全ての形状が許容される。
【００１５】
当接部は、例えば、折曲げられたバネ部材の折曲部と器具本体との隙間に食い込み、折曲部近傍に内側から当接してバネ部材を外方に向けて押し広げるもので、その形状は、傾斜したカム形状や三角錐の楔等、より効果的に押し広げられる機能を有する形状を有していることが好ましいが、これら格別なカム形状や楔形等には限定されない。また、枠体に一体に形成されても別体に構成したものでもよい。
【００１６】
請求項２に記載の取付部材の発明は、鍔部を形成した枠体と；枠体の鍔部に形成され、折曲げられたバネ部材のバネ辺を外方に向けて傾斜させる方向に貫通させるガイド孔と；ガイド孔の内方に連続して形成され、折曲げられたバネ部材のバネ辺に内側から当接することによりバネ部材を外方に向けて押し広げる当接部と；を具備することを特徴とする。
【００１７】
本発明によれば、折曲げられたバネ部材のバネ辺を外方に向けて傾斜させる方向に貫通させるガイド孔と、ガイド孔の内方に連続して形成され、折曲げられたバネ部材のバネ辺に内側から当接することによりバネ部材を外方に向けて押し広げる当接部により、既存の埋込穴に埋込器具を容易かつ確実に固定することができると共に、鍔部を形成した枠体により、埋込穴と埋込器具との間に形成される隙間を簡単な手段で塞ぐことが可能となる。
【００１８】
本発明においてバネ部材のバネ辺を外方に向けて傾斜させる方向に貫通させるガイド孔は、孔の形状自体を外方に向けて傾斜させる方向に貫通させて形成しても、孔の縁でバネ辺の撓みを阻止しない長孔などの孔形状に形成してもよい。
【００１９】
当接部は、例えば、折曲げられたバネ部材のバネ辺に内側から当接することによりバネ部材を外方に向けて押し広げるもので、その形状は傾斜したカム形状や楔形等、より効果的に押し広げられる機能を有する形状を有していることが好ましいが、ガイド孔を形成することにより、ガイド孔に連続して必然的に形成される孔の縁自体で構成されるものであってもよい。
【００２０】
請求項３に記載の埋込器具の発明は、器具本体と；器具本体に取り付けられる一方のバネ辺、この一方のバネ辺に連続的に形成され、器具本体の一端側で折り曲げられる折曲部、この折曲部から器具本体の外方に突出するように形成された他方のバネ辺を有するバネ部材で構成され、他方のバネ辺を内方に撓ませた状態で器具本体と共に被設置部の埋込穴に挿入され、挿入後自らの弾性により元の状態に復帰して埋込穴の内面を圧接し、その圧接力で器具本体を被設置部に支持する支持具と；埋込穴と器具本体の隙間を閉塞する鍔部を有する枠体と、枠体の鍔部に形成され、折曲げられたバネ部材の折曲部に内側から当接することによりバネ部材を外方に向けて押し広げる当接部を有する取付部材と；を具備することを特徴とする。
【００２１】
本発明によれば、埋込穴と器具本体の隙間を閉塞する鍔部を有する枠体と、枠体の鍔部に形成され、折曲げられたバネ部材の折曲部に内側から当接することによりバネ部材を外方に向けて押し広げる当接部を有する取付部材により、既存の埋込穴に器具本体を確実に固定することができると共に、埋込穴と器具本体との間に形成される隙間を簡単な手段で塞ぐことが可能となる。
【００２２】
本発明において、埋込器具は、ダウンライト等の照明器具でも、人感センサや照度センサ等の各種センサ器具、さらにはスピーカ等、被設置部の埋込穴に設置される全ての埋込器具が許容される。
【００２３】
器具本体は、円筒形でも四角形、六角形、八角形等の角筒状をなしているものであってもよく、全ての筒状をなす構成が許容される。器具本体の材質は、熱伝導性の良好なアルミニウム（Ａｌ）、銅（Ｃｕ）、鉄（Ｆｅ）などで構成しても、さらには高熱伝導樹脂等の合成樹脂で構成してもよい。筒状をなす器具本体は、枠体で略筒状をなすように構成し、筒の側壁部に一部開放した部分が形成されたものであってもよく、要は、実質的に筒状をなしていればよい。
【００２４】
支持具は、ステンレス等の金属板からなる板バネで構成し、その一端部を器具本体の両側に支持することにより弾性を有するように構成することが好適であるが、材質は合成樹脂で構成してもよい。また、弾性を与える手段は、一端部を支持する手段に限らず、例えば、金属板とコイルスプリングを組み合わせて金属板に弾性を付与するようにしてもよく、要は、互いに内方に撓み、また自らの弾性により元の状態に復帰する全ての支持具が許容される。
【００２５】
請求項４に記載の埋込器具の発明は、器具本体と；器具本体に取り付けられる一方のバネ辺、この一方のバネ辺に連続的に形成され、器具本体の一端側で折り曲げられる折曲部、この折曲部から器具本体の外方に突出するように形成された他方のバネ辺を有するバネ部材で構成され、他方のバネ辺を内方に撓ませた状態で器具本体と共に被設置部の埋込穴に挿入され、挿入後自らの弾性により元の状態に復帰して埋込穴の内面を圧接し、その圧接力で器具本体を被設置部に支持する支持具と；埋込穴と器具本体の隙間を閉塞する鍔部を有する枠体、枠体の鍔部に形成され、支持具の他方のバネ辺を外方に向けて傾斜させる方向に貫通させるガイド孔と、ガイド孔の内方に連続して形成され、他方のバネ辺を内側から当接することによりバネ部材を外方に向けて押し広げる当接部を有する取付部材と；を具備することを特徴とする。
【００２６】
本発明によれば、埋込穴と器具本体の隙間を閉塞する鍔部を有する枠体、枠体の鍔部に形成され、支持具の他方のバネ辺を外方に向けて傾斜させる方向に貫通させるガイド孔と、ガイド孔の内方に連続して形成され、他方のバネ辺を内側から当接することによりバネ部材を外方に向けて押し広げる当接部を有する取付部材により、既存の埋込穴に器具本体を確実に固定することができると共に、埋込穴と器具本体との間に形成される隙間を簡単な手段で塞ぐことが可能となる。
【発明の効果】
【００２７】
請求項１の発明によれば、折曲げられたバネ部材に内側から当接することによりバネ部材を外方に向けて押し広げる当接部により、既存の埋込穴に埋込器具を容易かつ確実に固定することができると共に、鍔部を形成した枠体により、埋込穴と埋込器具との間に形成される隙間を簡単な手段で塞ぐことが可能な取付部材を提供することができる。
【００２８】
請求項２の発明によれば、折曲げられたバネ部材のバネ辺を外方に向けて傾斜させる方向に貫通させるガイド孔と、ガイド孔の内方に連続して形成され、折曲げられたバネ部材のバネ辺に内側から当接することによりバネ部材を外方に向けて押し広げる当接部により、既存の埋込穴に埋込器具を容易かつ確実に固定することができると共に、鍔部を形成した枠体により、埋込穴と埋込器具との間に形成される隙間を簡単な手段で塞ぐことが可能な取付部材を提供することができる。
【００２９】
請求項３の発明によれば、埋込穴と器具本体の隙間を閉塞する鍔部を有する枠体と、枠体の鍔部に形成され、折曲げられたバネ部材の折曲部に内側から当接することによりバネ部材を外方に向けて押し広げる当接部を有する取付部材により、既存の埋込穴に器具本体を確実に固定することができると共に、埋込穴と器具本体との間に形成される隙間を簡単な手段で塞ぐことが可能な埋込器具を提供することができる。
【００３０】
請求項４の発明によれば、埋込穴と器具本体の隙間を閉塞する鍔部を有する枠体、枠体の鍔部に形成され、支持具の他方のバネ辺を外方に向けて傾斜させる方向に貫通させるガイド孔と、ガイド孔の内方に連続して形成され、他方のバネ辺を内側から当接することによりバネ部材を外方に向けて押し広げる当接部を有する取付部材により、既存の埋込穴に器具本体を確実に固定することができると共に、埋込穴と器具本体との間に形成される隙間を簡単な手段で塞ぐことが可能な埋込器具を提供することができる。
【発明を実施するための最良の形態】
【００３１】
以下、本発明に係る取付部材およびこの取付部材を用いた埋込器具の実施形態について説明する。
【実施例１】
【００３２】
まず、取付部材の構成につき説明する。図１〜図３に示すように、１０は取付部材で、枠体１１と枠体に形成された当接部１３で構成する。枠体１１は、耐熱性で電気絶縁性を有するポリエチレンテレフタレート（ＰＢＴ）等の合成樹脂で連続した円形のリング状に構成し、リングの断面が略平板状で、その平板部を鍔部１１ｂとなして一体に形成する。鍔部１１ｂは、後述する埋込穴Ｙと埋込器具である照明器具２０の隙間を閉塞すると共に隙間をきれいに覆う化粧枠としての作用をなす。
【００３３】
この鍔部１１ｂの内方側に連続して上方に突出する突出片からなる当接部１３を一体に形成する。当接部は、三角錐形状の楔をなしリングの周囲方向に対して徐々に楔の傾斜が大きくなる形状のカム面１３ａを形成し、枠体１１の径方向に対向した位置にそれぞれ一対ずつ計４個が等間隔になるように形成する。その各当接部１３のカム面１３ａは傾斜面が周囲方向、換言すれば、リングの中心を軸として回転させた場合に、回転方向に対して同一の方向に向くように形成する（図３（ｃ））。
【００３４】
これにより、当接部１３は、枠体１１を図３（ａ）の矢印Ａ方向に回転させると、カム面１３ａの細い先端がバネ部材２４の折曲部２４ａと器具本体２２との隙間Ｓ２に食い込み、カム面１３ａが折曲部２４ａに対して器具側（内側）から当接する。この状態で、さらに回転させると徐々に楔の傾斜が大きくなる形状のカム面１３ａの作用によって、徐々に折曲部２４ａが外方（図中左方）へ向けて押圧され、略Ｖ字形に折曲げられたバネ部材２４が押し広げられる（図３（ｂ））。これにより、バネ部材２４の一方のバネ辺２４ｃを外方に向けて移動させる。なお、リング状をなす枠体１１の内径寸法Φ１は、後述する器具本体２２の外径Φ２より若干大きく（Φ１＞Φ２）形成し、枠体１１に器具本体２２が挿入できるように構成する。また外径、すなわち、鍔部１１ｂの外径Φ３は、埋込孔Ｙの内径より大きく形成し、鍔部１１ｂで埋込孔Ｙを覆うことができるように構成する。
【００３５】
次に、埋込器具の構成を説明する。本実施例の埋込器具は、光源として高輝度、高出力の複数個の発光ダイオードを用いた一般家庭に設置されるダウンライト形の小型の埋込型照明器具、すなわち、ＬＥＤダウンライトとして構成したものである。
【００３６】
図１に示すように、２０は本発明の埋込器具である照明器具を構成するＬＥＤダウンライトで、光源２１を配設した筒状をなす器具本体２２、器具本体に設けられる化粧枠２３、器具本体を被設置部、本実施例では天井Ｘに支持する支持具２４で構成する。
【００３７】
光源２１は、複数個の発光ダイオード（以下「ＬＥＤ」と称す）で構成し、各ＬＥＤは、同一色、本実施形態では高輝度、高出力の白色のＬＥＤで構成する。器具本体２２は、アルミダイカスト製で、両端部に開口を有する断面略円形の円筒状のケース部材として構成する。円筒の一端部の開口側に位置して光源２１を配設し、この光源が面する一端部に化粧枠２３を設ける。
【００３８】
化粧枠２３は、連続したリング状をなし、リングの断面が略Ｌ字形をなす鍔部２３ａを一体に形成した合成樹脂で構成され、Ｌ字の垂直内面を器具本体２２の一端部の内面に嵌め込み、一体に形成した係合爪を器具本体内面に形成した溝に着脱が可能になるように係合して固定する。さらに、化粧枠２３のリング内面に透明なアクリル樹脂で構成したカバー部材２３ｂを嵌め込み固定する。
【００３９】
支持具２４は、バネ部材を構成するもので、ステンレスの板材をプレス加工して形成した折曲部２４ａを有する略Ｌ字形をなす２枚の長い短冊状の板バネからなり、Ｌ字の垂直部分を構成する一方のバネ辺２４ｂを器具本体２２の両側の外面に、径方向に対向して位置させてネジ等の固定手段で固定し、Ｌ字の略水平部分を構成する他方のバネ辺２４ｃを外方にフリーな状態で突出させる。この板バネからなる一対の支持具２４は、互いに内方に撓まされた状態で器具本体２２と共に、天井Ｘの埋込穴Ｙに挿入され、挿入後は自らの弾性により元の状態に復帰して埋込穴Ｙの周囲内面に圧接し、その圧接力により天井材を化粧枠２３の鍔部２３ａとの間で挟み器具本体２２を天井Ｘに支持する。
【００４０】
なお、器具本体２２の内部には光源２１である各ＬＥＤを点灯するための電源部２６が収納され、他端部側の開口には電源部に商用電源を供給するための電源端子台２７が設けられている。
【００４１】
次に、上記に構成された取付部材および照明器具の作用につき説明する。まず、ＬＥＤダウンライト２０を新規に天井に設置する場合には、図４に示すように、小型のＬＥＤダウンライト２０に合わせた小さい寸法の埋込孔Ｙに挿入して設置することができる。すなわち、作業者は、一対の支持具２４の板バネを手で押え内方に撓ませながら器具本体２２と共に埋込穴Ｙに挿入し挿入後、手を離す。これにより、板バネが自らの弾性により元の外側の位置に復帰し埋込穴Ｙの内面を圧接し、その圧接力により天井材を化粧枠２３の鍔部２３ａとの間で挟み器具本体２２を天井Ｘに固定し設置することができる。
【００４２】
次に、省エネやリニューアルのために、既に設置されている白熱電球式ダウンライトに替えて、本実施例における小型のＬＥＤダウンライト２０を設置する場合につき説明する。通常、白熱電球式ダウンライトは比較的大きく、その埋込穴の内径寸法は、約１２０〜１５０ｍｍ程度に形成されており、そのまま、本実施例の小型のＬＥＤダウンライト２０を挿入しても、従来の図１５（ａ）に示すように、設置することができない。このため、上述した本実施例の取付部材１０を用いて設置を行う。なお、本実施例においては、従来の図１５（ａ）より板厚が厚い天井材に埋込穴Ｙが形成されている。
【００４３】
作業者は手元で取付部材１０と器具本体２２の組立作業を行う。まず、器具本体２２に取付部材１０を組み込む。すなわち、図５に示すように、一対の支持具２４のバネ辺２４ｃを手で内側に撓ませた状態で、枠体１１の内側に器具本体２２を挿入し、撓んだバネ辺２４ｃを枠体１１の内面で係止して器具本体２２に取付部材１０を組み込む。なお、枠体１１に器具本体２２を挿入する場合、図３（ｃ）に示すように、各当接部１３と支持具２４が干渉しない位置にして挿入する。
【００４４】
この状態でバネ辺２４ｃは、取付部材１０により略Ｖ字形になるように撓まされ、先端部間の寸法Ｔ１が埋込穴の内径寸法より小さくなるように撓まされ、同時に、取付部材１０はバネ辺２４ｃ、２４ｃの途中に係止し、Ｖ字の折曲部２４ａが器具本体２２の化粧枠２３の上面に対向した状態になっている。
【００４５】
次に、図６に示すように、取付部材１０を組み込んだ器具本体２２を天井Ｘの埋込穴Ｙに向けて持ち上げ器具本体２２の電源端子台２７に天井裏に配線された電源線Ｗを接続する。この際、板バネからなる支持具２４は、リング状の取付部材１０により互いに内方に撓ました状態に保持されており、支持具が左右に突出していなので、手がバネ辺２４ｃに引っ掛かるようなこともなく、また、板バネを手で内方に撓ませた状態で保持しておく必要がないので、容易かつ安全に配線作業が行える。
【００４６】
配線作業が完了したら、図７に示すように、支持具２４を互いに内方に撓ました状態のまま、器具本体２２の電源端子台２７側、すなわち、器具本体２２の上部を埋込穴Ｙに挿入し、取付部材１０の鍔部１１ｂの上面を埋込孔Ｙの周囲の設置面Ｚに押し当てる。この際、作業者は、従来のように、手で支持具２４を押えながら埋込穴Ｙに挿入する必要がなくなり、板バネの反発力で手に怪我をする恐れがない。
【００４７】
次に、器具本体２２の上部を挿入し鍔部１１ｂの上面を埋込孔Ｙの周囲の設置面Ｚに押し当てた状態で、図中矢印Ｂで示すように、化粧枠２３の下面をさらに押し上げ、これに伴って枠体１１が支持具２４の下方に移動して化粧枠２３の上面に載置した状態になる（図３（ａ））。この際、枠体１１が下方に移動することにより、支持具２４は、内側に撓んだバネ辺２４ｃの枠体１１による係止が解除され、自らの弾性により元の外側の位置に復帰する。これにより、一対の支持具２４が左右に開きながら天井Ｘの内面に係止され、器具本体２２を天井Ｘに仮止めした状態になる（図８）。この状態で、支持具２４と当接部１３は図３（ａ）の状態になっている。なお、取付部材１０の枠体１１の外径Φ３を埋込穴Ｙの内径寸法より大きくすることによって、器具本体２２を埋込穴Ｙに挿入するときに、埋込穴Ｙの周部の被設置部と枠体１１を係合させることがでできる。そこで、器具本体２２を埋込穴Ｙに挿入し、取付部材１０を被設置部に係合させた状態で、さらに器具本体２２を押し上げることで取付部材１０を器具本体２２に対してスライドするようにしてもよい。この場合も、上記と同様の効果を得ることができる。
【００４８】
次に、上記のように、器具本体２２を仮止めした状態で、枠体１１の鍔部１１ｂを摘んで図３（ａ）の矢印Ａ方向に回転させる。これにより、図３（ｂ）に示されるように、当接部１３のカム１３ａの先端が支持具の折曲部２４ａと器具本体２２との隙間Ｓ２に食い込み、カム面１３ａが折曲部２４ａに対して器具側（内側）から当接する。この状態で、さらに回転させると徐々に楔の傾斜が大きくなる形状のカム面１３ａの作用によって、徐々に折曲部２４ａが外方（図中左方）へ向けて押圧され、折曲げられた支持具が押し広げられる。これにより、支持具２４の一方のバネ辺２４ｃを外方に向けて移動する。
【００４９】
この移動によりバネ辺２４ｃが大きな埋込孔Ｙの周囲内面に向けて圧接され、その圧接力により天井材を取付部材１０の鍔部１１ｂとの間で挟み器具本体２２を天井Ｘに支持する。換言すれば、天井材を、照明器具の化粧枠２３が取付部材１０の鍔部１１ｂを介して挟み器具本体２２を天井Ｘに支持する（図１（ａ）、図２）。
【００５０】
なお、図８に示すように、バネ辺２４ｃは、実線の位置から破線の位置まで押し広げられて外方に移動し、これによる強い力で天井の内面に圧接される。この際、天井材の板厚が厚くなっても、若しくは薄くなった場合でも、弾性体からなるバネ辺２４ｃが天井材の厚みに応じて撓み、厚みの差を吸収して、その圧接力で確実に支持することができる。
【００５１】
以上により、既に設置されている白熱電球式ダウンライトの比較的大きな埋込穴Ｙに対して小型のＬＥＤダウンライト２０を設置することができる。同時に、器具本体２２と埋込穴Ｙの間に形成される隙間が、取付部材１０の化粧枠をなす鍔部１１ｂと器具本体２２の化粧枠２３により閉塞されると共に、それぞれの下面の化粧面が見栄えよく二重に重ねられ一体化される。
【００５２】
また、ＬＥＤダウンライト２０の修理・点検等で器具本体２２を天井Ｘから取り外す場合には、上記と逆の操作を行って取り外す。まず、取付部材１０の鍔部１１ｂを摘んで図３（ａ）の矢印Ａ方向と逆の方向に回転させる。これにより、図３（ｂ）に示される状態から、当接部１３のカム面１３ａの先端が支持具の折曲部２４ａと器具本体２２との隙間Ｓ２から離脱し、カム面１３ａが折曲部２４ａの器具側（内側）から離れる（図３（ａ））。これにより、器具本体２２を天井Ｘに仮止めした状態に戻る（図８）。
【００５３】
この状態から、取付部材１０の鍔部１１ｂを左手で天井の設置面Ｚに押え付けながら、右手で化粧枠２３を下方に引き下げる（図７）。これにより、両側のバネ辺２４ｃが枠体１１の内面に沿い自動的に内方に向けて傾斜させる方向に移動する。この移動によりバネ辺２４ｃが互いに徐々に内方に撓み、先端部の間隔寸法Ｔ１が埋込穴Ｙの内径寸法より小さくなるまで移動させる。
【００５４】
これにより、バネ辺２４ｃの埋込孔Ｙの周囲内面に対する圧接が解かれ、バネ辺２４ｃが小さく撓んだ状態のまま、器具本体２２をさらに下方に引き出して埋込穴Ｙから照明器具２０を取り外し、修理・点検を行う（図６）。この際も、作業者は、従来のように、手で支持具２４を押えながら埋込穴Ｙから引き出す必要がなくなり、板バネの反発力で手に怪我をする恐れがない。さらに、照明器具２０を取り外す際に、取付部材１０も一緒に同時に外すことができる。
【００５５】
また、上記構成の取付部材１０をＬＥＤダウンライト２０のリニューアル部品として同時に梱包して販売することもできる。この場合、図９に示すように、梱包時において、リング状の取付部材１０を器具本体２２に予め組み込み、支持具２４のバネ辺２４ｃを互いに内方に撓ました状態に保持して梱包する。これにより、支持具２４が器具本体２２の左右に突出することがなくなり、器具本体２２が小型化されて包装箱Ｐに小さく収容することができる（図９中矢印Ａ）。同時に図９の矢印Ｂに示すように、包装箱Ｐから支持具２４を互いに内方に撓まし小さく保持された状態のまま器具本体２２を引き出すことができる。この際、板バネからなる支持具２４が包装箱Ｐの内面に引っ掛かることなく簡単に取り出すことができる。
【００５６】
以上、本実施例によれば、埋込穴Ｙと器具本体２２の隙間を閉塞する鍔部１１ｂを形成し、支持具２４の折曲部２４ａに内側から当接することによりバネ辺２４ｃを外方に向けて押し広げる当接部１３を有する取付部材１０を用いることにより、既に設置されている白熱電球式ダウンライトの比較的大きな埋込穴Ｙに対して小型のＬＥＤダウンライト２０を設置することができる。同時に、器具本体２２と埋込穴Ｙとの間に形成される隙間が、取付部材１０の鍔部１１ｂと器具本体の化粧枠２３により閉塞されると共に、それぞれの化粧面が見栄えよく一体化され外観上も良好な照明器具を提供することができる。
【００５７】
また、従来の図１５（ｂ）（ｃ）（ｄ）に示すような、リニューアルのための格別の専用部品、すなわち、取付金具５ａ等を有する本体５、Ｖバネ６ａを有する化粧枠６が不要となり、取付部材１０単独の部品ですみ、また、埋込孔の内面に圧接させるためのバネ部材を、小型のＬＥＤダウンライトの板バネからなる支持具２４、そのものを利用して圧接することができ、従来のように別個のＶバネ等が不要となって部品点数を減らすことができ、コスト的にも有利な照明器具を提供できる。
【００５８】
また、その設置作業に当たっては、単に取付部材１０を器具本体２２に組み込み、埋込穴Ｙへ挿入して化粧枠２３を押上げ、取付部材１０を回転させるだけの単純な作業ですみ、作業者は、従来のように、手で支持具２４を押えながら埋込穴Ｙに挿入する必要がなくなり、板バネの反発力で手に怪我をする恐れがなく、容易かつ安全で確実に設置することができる。また、配線作業においても、板バネからなる支持具２４は、リング状の取付部材１０により互いに内方に撓ました状態に保持されており、支持具が左右に突出していなので、手が板バネに引っ掛かるようなこともなく、また、板バネを手で内方に撓ませた状態で保持しておく必要がないので、容易かつ安全に配線作業が行える。
【００５９】
また、修理・点検等で器具本体２２を天井Ｘから取り外す場合にも、板バネからなる支持具２４を内方に撓ました状態のまま引き出すことができ作業が容易になると共に、作業者は、従来のように、手で支持具２４を押えながら埋込穴Ｙから引き出す必要がなくなり、板バネの反発力で手に怪我をする恐れがない。さらに、照明器具２０を取り外す際に、取付部材１０も一緒に同時に外すことができ施工性がより一層改善される。
【００６０】
また、取付部材１０をＬＥＤダウンライトのリニューアル部品として同時に梱包して販売することもでき、梱包時において、支持具２４が器具本体２２の左右に突出することがなくなり、器具本体２２が小型化されて小さな包装箱Ｐに小さく収容することができる。また、開梱の際も、板バネからなる支持具２４が包装箱Ｐの内面に引っ掛かることなく簡単に取り出すことができる。また、施工に際しては、取付部材１０が器具本体２２に組み込まれた状態で引き出され、取付部材の器具本体への組込み作業を省略することができ、包装箱から取り出したそのままの状態で作業に入ることができ、より一層施工性が改善される。
【００６１】
また、取付部材１０により、埋込穴Ｙと器具本体１２との間の隙間が塞がれ、室内の冷暖房時において、天井裏の冷気や暖気の埋込穴からの流入を抑制することができ、省エネに貢献できる照明器具が構成される。同時に、埋込穴Ｙが塞がれることにより、マンション等における上部階からの騒音・振動の室内への伝達も抑制することもできる。さらに、玄関の軒下等に器具を設置した場合には、雨水の吹き込み等により埋込穴Ｙから天井裏に水が浸入する恐れがあるが、埋込穴Ｙが塞がれることで天井裏への雨水の侵入も防ぐことができ、同時に器具に対しても雨水の浸入を防ぐことができる。また、埋込穴周囲の天井面の保護も行うこともできる。
【００６２】
また、取付部材１０は、施工時において支持具２４を押えて埋込穴Ｙへの挿入作業を容易にする作用、梱包時において支持具２４を押えて器具本体１２を小型にする作用、さらには、雨水侵入防止のためのパッキングの作用を兼ねている。このため、梱包専用の包装材や、そのための専用の梱包作業が不要になり、また防水専用のパッキングを別個に設ける必要がなく、構成が簡素化されると共に、コスト的に有利な照明器具を提供することができる。
【００６３】
以上、本実施例において、取付部材１０を、支持具２４のバネ辺２４ｃが互いに徐々に内方に撓み、先端部の間隔寸法Ｔ１が埋込穴Ｙの内径寸法より小さくなるまで移動させるようにしたが、支持具２４の先端部間の寸法Ｔ１が、埋込穴Ｙの内径寸法より多少大きくなるようにしてもよい。この場合、器具本体２２全体を斜めに傾けながら一方のバネ辺２４ｃの先端部を先に埋込穴Ｙに挿入し、その後他方のバネ辺２４ｃの先端部を挿入するようにする。
【００６４】
また、光源は、ＬＥＤで構成したが、半導体レーザなどの半導体発光素子、小型の電球やハロゲン電球等の白熱ランプ、コンパクト形蛍光ランプや電球形蛍光ランプ等の放電ランプ等、如何なるランプを光源とするものであってもよい。
【００６５】
本実施例は、一般家屋用のダウンライト形の照明器具として構成したが、オフィス等の施設用、さらに大型の業務用のダウンライト等、各種の埋込型の照明器具として構成してもよい。さらに、照明システムに用いられる人感センサや照度センサ等の各種センサ器具、さらには音響システムに用いられるスピーカ等、他の埋込器具を構成してもよい。
【実施例２】
【００６６】
本実施例は、折曲げられたバネ部材のバネ辺を外方に向けて傾斜させる方向に貫通させるガイド孔と、折曲げられたバネ部材のバネ辺に内側から当接することによりバネ部材を外方に向けて押し広げる当接部により取付部材を構成したものである。
【００６７】
以下、取付部材およびこの取付部材を用いた埋込器具について説明する。なお、実施例１と同一部分には同一符号を付し、詳細な説明は省略した。
【００６８】
まず、取付部材の構成につき、図１０および図１１に示すように、１０は本実施例の取付部材で、枠体１１と枠体に形成されたガイド孔１２および当接部１３で構成する。枠体１１は、実施例１と同様に、耐熱性で電気絶縁性を有するポリエチレンテレフタレート（ＰＢＴ）等の合成樹脂で連続した円形のリング状に構成し、リングの断面が略Ｌ字形で、Ｌ字の水平部分に段部１１ａを形成し、段部の外方に鍔部１１ｂを一体に形成する。段部１１ａは、下面に形成される凹部内に、後述する照明器具２０の化粧枠２３が嵌合される寸法・形状に形成する。
【００６９】
この鍔部１１ｂに隣接してガイド孔１２を貫通させて形成し、ガイド孔１２の内方側に連続して当接部１３を一体に形成する。これらガイド孔および当接部は、枠体１１の径方向に対向した位置にそれぞれ１個ずつ形成する。ガイド孔１２は、枠体１１の外方に向かって傾斜した貫通する孔で構成し、略Ｖ字形に折曲げられたバネ部材２４の一方のバネ辺２４ｃを外方に向けて傾斜させる方向に移動させる。当接部１３は、楔をなす形状に形成し、バネ部材２４が上方に押し上げられた際に、その楔がバネ部材のバネ辺２４ｃの内側に当接することによりバネ部材２４を外方に向けて押し広げるように作用する。
【００７０】
次に、本実施例の埋込器具である照明器具は、実施例１と同様、ダウンライト形の小型の埋込型照明器具、すなわち、ＬＥＤダウンライトとして構成したものであり、詳細な説明は省略する。
【００７１】
次に、上記に構成された取付部材および照明器具の作用につき説明する。まず、ＬＥＤダウンライト２０を新規に天井に設置する場合には、実施例１の図４に示すと同様に設置する。
【００７２】
次に、省エネやリニューアルのために、上述した本実施例の取付部材１０を用いて、既に設置されている白熱電球式ダウンライトに替えて、本実施例における小型のＬＥＤダウンライト２０を設置する場合につき説明する。まず、作業者は手元で取付部材１０と器具本体２２の組立作業を行う。すなわち、図１２に示すように、枠体１１の径方向に対向して形成されたガイド孔１２、１２に対し、器具本体２２の両側に径方向に対向して固定されたバネ辺２４ｃを内側に撓ませ、その先端部を下方からガイド孔１２、１２に挿入して貫通させ器具本体２２に取付部材１０を組み込む。
【００７３】
この状態でバネ辺２４ｃは、取付部材１０により略Ｖ字形になるように撓まされ、先端部間の寸法Ｔ１が埋込穴の内径寸法より小さくなるように撓まされ、同時に、取付部材１０はバネ辺２４ｃの途中に係止し、Ｖ字の折曲部２４ａが器具本体２２の化粧枠２３の上面に対向した状態になっている。
【００７４】
次に、実施例１の図６と同様に、上記に構成された器具本体２２を天井Ｘの埋込穴Ｙに向けて持ち上げ器具本体２２の電源端子台２７に天井裏に配線された電源線Ｗを接続する。この際、板バネからなる支持具２４は、リング状の取付部材１０により互いに内方に撓ました状態に保持されており、支持具が左右に突出していないので、手がバネ辺２４ｃに引っ掛かるようなこともなく、また、板バネを手で内方に撓ませた状態で保持しておく必要がないので、容易かつ安全に配線作業が行える。
【００７５】
配線作業が完了したら、図１３に示すように、支持具２４を互いに内方に撓ました状態のまま、器具本体２２の電源端子台２７側、すなわち、器具本体２２の上部を埋込穴Ｙに挿入し、取付部材１０の鍔部１１ｂの上面を埋込孔Ｙの周囲の設置面Ｚに押し当てる。この際、作業者は、従来のように、手で支持具２４を押えながら埋込穴Ｙに挿入する必要がなくなり、板バネの反発力で手に怪我をする恐れがない。
【００７６】
次に、器具本体２２の上部を挿入した状態で、図１３中矢印Ｂで示すように、化粧枠２３の下面をさらに押し上げ、化粧枠２３の鍔部２３ａを取付部材１０の段部１１ａの凹部内に嵌合させる。これにより、図１１に示すように、支持具２４のＶ字の折曲部２４ａも押し上げられ、当接部１３の楔が支持具２４のバネ辺２４ｃの内側に当接することにより支持具２４を外方に向けて押し広げるように作用する。この押し広げる作用によって、フリーに突出するバネ辺２４ｃが、枠体１１の外方に向かって傾斜して貫通するガイド孔１２に沿い外方に向けて傾斜させる方向に移動する。この移動によりバネ辺２４ｃが大きな埋込孔Ｙの周囲内面に向けて圧接され、その圧接力により天井材を取付部材１０の鍔部１１ｂとの間で挟み器具本体２２を天井Ｘに支持する（図１０、図１１）。
【００７７】
以上により、既に設置されている白熱電球式ダウンライトの比較的大きな埋込穴Ｙに対して小型のＬＥＤダウンライト２０を設置することができる。同時に、器具本体２２と埋込穴Ｙの間に形成される隙間が、取付部材１０の化粧枠をなす鍔部１１ｂと器具本体２２の化粧枠２３により閉塞されると共に、それぞれの下面の化粧面が面一となり見栄えがよく一体化される。さらに、枠体１１の段部１１ａの上面により埋込穴Ｙを形成する際に生じる内面のギザギザ部分を覆い隠すこともできる。
【００７８】
また、ＬＥＤダウンライト２０の修理・点検等で器具本体２２を天井Ｘから取り外す場合には、上記と逆の操作を行って取り外す。まず、取付部材１０の鍔部１１ｂを左手で天井の設置面にＺに押え付けながら、右手で化粧枠２３を下方に引き下げる（図１３）。これにより、支持具２４のＶ字の折曲部２４ａが下がり当接部１３の楔が支持具２４のバネ辺２４ｃの内側から離れ、外方に向けて押し広げられていた支持具２４が元に戻り、両側のバネ辺２４ｃがガイド孔１２に沿い自動的に内方に向けて傾斜させる方向に移動する。この移動によりバネ辺２４ｃが互いに徐々に内方に撓み、先端部の間隔寸法Ｔ１が埋込穴Ｙの内径寸法より小さくなるまで移動させる。
【００７９】
これにより、バネ辺２４ｃの埋込孔Ｙの周囲内面に対する圧接が解かれ、バネ辺２４ｃが小さく撓んだ状態のまま、器具本体２２をさらに下方に引き出して埋込穴Ｙから照明器具２０を取り外し、修理・点検を行う（図１２、図６）。この際も、作業者は、従来のように、手で支持具２４を押えながら埋込穴Ｙから引き出す必要がなくなり、板バネの反発力で手に怪我をする恐れがない。さらに、照明器具２０を取り外す際に、取付部材１０も一緒に同時に外すことができる。
【００８０】
また、上記構成の取付部材１０をＬＥＤダウンライト２０のリニューアル部品として同時に梱包して販売することもできる。この場合、実施例１と同様に、図９に示すように、梱包時において、リング状の取付部材１０を器具本体に予め組み込み、支持具のバネ辺２４ｃを互いに内方に撓ました状態に保持して梱包する。
【００８１】
以上、本実施例によれば、埋込穴Ｙと器具本体２２の隙間を閉塞する鍔部１１ｂを形成し、支持具２４のバネ辺２４ｃを外方に向けて傾斜させる方向に貫通させるガイド孔１２と、ガイド孔の内方側に連続して形成され、バネ辺２４に内側から当接することにより支持具２４を外方に向けて押し広げる当接部１３を有する取付部材１０を用いることにより、既に設置されている白熱電球式ダウンライトの比較的大きな埋込穴Ｙに対して小型のＬＥＤダウンライト２０を設置することができる。同時に、器具本体２２と埋込穴Ｙとの間に形成される隙間が、器具本体の化粧枠２３と取付部材１０の鍔部１１ｂにより閉塞されると共に、それぞれの化粧面が面一となり見栄えがよく一体化され外観上も良好な照明器具を提供することができる。
【００８２】
また、従来の作業においてはＬＥＤダウンライト１のバネ部１ｂと化粧枠６のＶバネ６ａが干渉するため、それぞれの位置合わせをする必要があり取付方向が規制される問題があったが、ＬＥＤダウンライトの板バネ１本ですむことから、干渉の問題がなくなり取付方向が規制されず、施工性に優れた照明器具を提供することができる。
【００８３】
また、その設置作業に当たっては、単に取付部材１０のガイド孔１３にバネ辺２４ｂを貫通させて組み込み、埋込穴に挿入し、化粧枠２３を押上げるだけの単純な作業ですみ、作業者は、従来のように、手で支持具２４を押えながら埋込穴Ｙに挿入する必要がなくなり、板バネの反発力で手に怪我をする恐れがなく、また、板バネを手で内方に撓ませた状態で保持しておく必要がないので、容易かつ安全で確実に設置することができる。
【００８４】
以上、本実施例において、当接部１３は、ガイド孔に連続して必然的に形成される孔の縁自体で当接部を構成するものでもよい。すなわち、図１４に示すように、長孔でガイド孔１２´を構成し、この長孔の、図中右下に位置する縁を当接部１３´となす。これによれば、縁からなる当接部１３´が、支持具２４のバネ辺２４ｃの内側に当接し、支持具２４を外方に向けて押し広げると共に、長孔からなるガイド孔１２´がバネ辺２４ｃの外方への広がりを阻止することなく移動させることができる。その他、本実施例における構成、作用、効果、変形例等は、実施例１と同様である。
【００８５】
以上、本発明の好適な実施形態を説明したが、本発明は上述の各実施例に限定されることなく、本発明の要旨を逸脱しない範囲内において、種々の設計変更を行うことができる。
【図面の簡単な説明】
【００８６】
【図１】本発明の第１の実施例に係る取付部材および埋込器具である照明器具を示し、（ａ）は取付部材を用いて照明器具を天井に設置した状態を、一部を断面して示す図、（ｂ）は取付部材の斜視図。
【図２】同じく図１（ａ）におけるＡ部分を拡大して示す断面図。
【図３】同じく要部を拡大して示す図で、（ａ）は支持具と当接部の関係を示す斜視図、（ｂ）は当接部が回転した状態を示す斜視図、（ｃ）は支持具と当接部の関係を示す上面図。
【図４】同じく照明器具を専用の埋込穴に設置した状態を、一部を断面して示す図。
【図５】同じく照明器具に取付部材を組み込んだ状態を、一部を断面して示す図。
【図６】同じく照明器具を既存の埋込穴に設置するため、取付部材を組み込んだ照明器具を天井の埋込穴に挿入する状態を示す斜視図。
【図７】同じく取付部材を組み込んだ照明器具を既存の埋込穴に挿入する状態を、一部を断面して示す図。
【図８】同じく取付部材を組み込んだ照明器具を既存の埋込穴に仮止めした状態を、一部を断面して示す図。
【図９】同じく取付部材を組み込んだ照明器具の梱包時の状態を示す斜視図。
【図１０】本発明の第２の実施例に係る取付部材および埋込器具である照明器具を示し、（ａ）は取付部材を用いて照明器具を天井に設置した状態を、一部を断面して示す図、（ｂ）は取付部材の斜視図。
【図１１】同じく図１（ａ）におけるＡ部分を拡大して示す断面図。
【図１２】同じく照明器具に取付部材を組み込んだ状態を、一部を断面して示す図。
【図１３】同じく取付部材を組み込んだ照明器具を既存の埋込穴に挿入する状態を、一部を断面して示す図。
【図１４】同じく取付部材の変形例を示す要部の断面図。
【図１５】従来の取付部材および照明器具を示し、（ａ）は、既存の大きな埋込穴に小型のＬＥＤダウンライトを設置した状態を示す断面図、（ｂ）（ｃ）（ｄ）はリニューアルのための取付部材を示し、（ｂ）は化粧枠の斜視図、（ｃ）は本体の斜視図、（ｄ）は化粧枠に組み込んだＬＥＤダウンライトを、天井に設置された本体に挿入する状態を示す断面図。
【符号の説明】
【００８７】
１０    取付部材
１１    枠体
１１ｂ  鍔部
１２    ガイド孔
１３    当接部
２０    照明器具
２１    光源
２２    器具本体
２４    バネ部材
２４ａ  折曲部
２４ｂ、２４ｃ  バネ辺
Ｘ      被設置部
Ｙ      埋込穴
【図１】
2010010099.tif 000003
【図２】
2010010099.tif 000004
【図３】
2010010099.tif 000005
【図４】
2010010099.tif 000006
【図５】
2010010099.tif 000007
【図６】
2010010099.tif 000008
【図７】
2010010099.tif 000009
【図８】
2010010099.tif 000010
【図９】
2010010099.tif 000011
【図１０】
2010010099.tif 000012
【図１１】
2010010099.tif 000013
【図１２】
2010010099.tif 000014
【図１３】
2010010099.tif 000015
【図１４】
2010010099.tif 000016
【図１５】
2010010099.tif 000017